【手続補正書】
【提出日】平成19年11月30日(2007.11.30)
【手続補正１】
【補正対象書類名】明細書
【補正対象項目名】特許請求の範囲
【補正方法】変更
【補正の内容】
【特許請求の範囲】
【請求項１】  針組立体において、
針基端部、鋭い針先端部、およびこれらの間に貫通する針カニューレを有する針と、
前記針カニューレ内に少なくとも部分的に配置されている細長い鈍化装置であって、
鈍化装置基端部、鈍化装置先端部、これらの間に貫通して血液を前記鈍化装置先端部から前記鈍化装置基端部に流すことのできる鈍化装置血液流通路、および前記鈍化装置基端部内における排気通路を有し、
当該排気通路を通して、空気を前記鈍化装置血液流通路から、当該鈍化装置血液流通路を通して血液が流れる方向とほぼ同一方向に排気できる細長い鈍化装置と、
前記針に対して移動するように駆動できる移動部材であって、
前記針に対する移動の際に、前記鈍化装置先端部が前記針カニューレの中に後退して前記鋭い針先端部が身体に進入できる後退位置から、当該鈍化装置先端部が針カニューレから延出して前記鋭い針先端部が身体に進入することを阻止する延出位置まで前記細長い鈍化装置を移動させる移動部材と、
内部空間を有するフラッシュチャンバーであって、
前記内部空間が、前記鈍化装置血液流通路に連通し、
血液が当該鈍化装置血液流通路から前記内部空間内に流れることが可能であり、
該内部空間内に配置されたときに血液を見ることができる材料により少なくとも部分的に作製されているフラッシュチャンバーと、
を備える針組立体。
【請求項２】  前記空気が、前記排気通路を経て大気中に排気される請求項１に記載の針組立体。
【請求項３】  前記空気が、前記鈍化装置血液流通路の中を血液が流れる方向とほぼ同一方向で排気される請求項２に記載の針組立体。
【請求項４】  前記鈍化装置血液流通路が、中心線を有し、
前記排気通路が、前記鈍化装置血液流通路の中心線とほぼ一致している中心線を有している請求項１に記載の針組立体。
【請求項５】  前記排気通路が、これを通過する血液の流れを実質的に阻止する請求項１に記載の針組立体。
【請求項６】  前記排気通路が、排気開口部である請求項５に記載の針組立体。
【請求項７】  前記排気開口部が、２５０μｍ未満の断面寸法を有する請求項６に記載の針組立体。
【請求項８】  前記細長い鈍化装置が、
前記針カニューレの中に少なくとも部分的に延在している細長い鈍化部材であって、当該細長い鈍化部材が、前記鈍化装置先端部を形成している鈍化部材先端部、および鈍化部材基端部を有する細長い鈍化部材と、
前記鈍化部材基端部に固定された鈍化部保持部材と、
前記鈍化部保持部材に固定された通路形成部材であって、前記排気開口部を形成する通路形成部材と、
を備える請求項６に記載の針組立体。
【請求項９】  前記鈍化部保持部材の側面に、スロットが形成され、
前記通路形成部材が、前記スロットの中に挿入されている請求項８に記載の針組立体。
【請求項１０】  前記鈍化部保持部材および前記通路形成部材の各表面部分により血液チャンネル空孔部が形成され、
血液が、該血液が流れる箇所から前記フラッシュチャンバーの前記内部空間まで前記血液チャンネル空孔部内に流入している請求項８に記載の針組立体。
【請求項１１】  前記細長い鈍化装置が、
前記針カニューレ内に少なくとも部分的に配置されている細長い鈍化部材であって、前記鈍化装置先端部を形成している鈍化部材先端部、および鈍化部材基端部を有する細長い鈍化部材と、
前記鈍化部材基端部に固定された鈍化部保持部材と、
多孔質部材であって、この多孔質材料が空気を通過するが血液を実質的に通過させない材料からなる多孔質材料により作製され、
血液が前記鈍化部材血液流通路の中に血液が流入するときに、その多孔質性によって空気を排出するが血液の通過が実質的に阻止されるように配置および形成されている多孔質部材と、
を備える請求項５に記載の針組立体。
【請求項１２】  前記鈍化部保持部材が、その中に形成されたプラグ開口部を有しており、
前記多孔質部材が、当該プラグ開口部の中に挿入された多孔質プラグである請求項１１に記載の針組立体。
【請求項１３】  前記プラグ開口部が、前記鈍化部材血液流通路の中を血液が流れる方向に対してほぼ逆の方向に前記鈍化部保持部材中に延在し、
前記多孔質プラグが、前記鈍化部材血液流通路の中を血液が流れる方向と逆の方向に前記プラグ開口部の中に挿入される請求項１２に記載の針組立体。
【請求項１４】  前記プラグ開口部が、前記鈍化部保持部材の側面におけるスロットであり、
前記多孔質プラグが、前記スロットの中に挿入されている請求項１２に記載の針組立体。
【請求項１５】  前記鈍化部保持部材および前記多孔質プラグの各表面部分により血液チャンネル空孔部が形成され、
血液が、該血液が流れる箇所から前記フラッシュチャンバーの前記内部空間まで前記血液流通路から前記血液チャンネル空孔部に流入している請求項１２に記載の針組立体。
【請求項１６】  前記細長い鈍化装置が、その延出位置に移動するときの位置にスナップ係合するクリップ形成部分を備え、
前記細長い鈍化部材が、その延出位置から外れてその後退位置に向けて移動することが阻止される請求項１に記載の針組立体。
【請求項１７】  前記針の周囲に配置されたカテーテルを備え、
当該カテーテルが、前記針と共に身体内に挿入可能であり、
当該針が、前記カテーテルから外れて身体から除去される一方で、前記カテーテルが身体内に残される請求項１に記載の針組立体。
【請求項１８】  前記細長い鈍化装置が、前記カテーテルに接続され、
前記針が身体から部分的に除去されて前記カテーテルから部分的に外されるときに、前記細長い鈍化装置が前記カテーテルに対して実質的に静止した位置に残されて前記針に対して後退位置から延出位置まで移動し、
その後、前記細長い鈍化装置が前記カテーテルから離脱して前記針と共に身体から除去される一方で、前記カテーテルが身体内に残される請求項１７に記載の針組立体。
【請求項１９】  前記細長い鈍化装置の周囲および当該細長い鈍化装置と前記フラッシュチャンバーとの間にシールを備え、
前記フラッシュチャンバーからの血液の漏れを実質的に阻止している請求項１に記載の針組立体。
【請求項２０】  前記後退位置から前記延出位置まで前記細長い鈍化装置が移動するときに、前記シールが、当該細長い鈍化装置の表面上を摺動する請求項１９に記載の針組立体。
【請求項２１】  前記後退位置から前記延出位置まで前記細長い鈍化装置が移動するときに、前記シールが、前記フラッシュチャンバーの表面上を摺動する請求項１９に記載の針組立体。
【請求項２２】  前記フラッシュチャンバーが、プラグ孔を有し、開口部を閉じる多孔質プラグをさらに備え、
当該多孔質プラグが、空気を通過させるが血液をほとんど通過させない材料からから成り、その多孔質性によって前記フラッシュチャンバーが血液で満たされるときに、空気を排出するが当該フラッシュチャンバーから血液の流出が実質的に阻止される請求項１記載の針組立体。
【請求項２３】  針組立体において、
針基端部、鋭い針先端部、およびこれらの間に貫通する針カニューレを有する針と、
前記針カニューレ内に少なくとも部分的に配置されている細長い鈍化装置であって、
鈍化装置基端部、鈍化装置先端部、これらの間に貫通して血液を前記鈍化装置先端部から前記鈍化装置基端部に流すことのできる鈍化装置血液流通路、および排気通路を有し、
当該排気通路を通して、血液が前記鈍化装置血液流通路内に流れるときに空気を当該鈍化装置血液流通路から排気でき、前記排気通路がこれを通過する血液の流れを実質的に阻止する細長い鈍化装置と、
前記針に対して移動するように駆動できる移動部材であって、
前記針に対する移動の際に、前記鈍化装置先端部が前記針カニューレの中に後退して前記鋭い針先端部が身体に貫入できる後退位置から、当該鈍化装置先端部が針カニューレから延出して前記針が身体に貫入することを阻止する延出位置まで前記細長い鈍化装置を移動させる移動部材と、
内部空間を有するフラッシュチャンバーであって、
前記内部空間が、前記鈍化装置血液流通路に連通し、
血液が当該鈍化装置血液流通路から前記内部空間内に流れることが可能であり、
該内部空間内に配置されたときに血液を見ることのできる材料により少なくとも部分的に作製されているフラッシュチャンバーと、
を備える針組立体。